(57)【要約】【課題】  従来の箱型の角柱において、風の流れ方向の送出側で、その後側に渦が発生し易く、この渦の発生は、風のスムーズな流れを阻害することと、騒音発生の要因となる。また、角柱が筐体の上下側に差渡しされた形態では、上下側の風の流れが、区々になり易く、全体のスムーズな流れが望めない。その改良が望まれていた。【解決手段】  本発明の送風機のドラムポールは、筐体の軸心の上下方向に設けた箱型の角柱であって、角柱は、筐体の中心の回転軸を抱持する中間室を挟んで、上下側に上下室を備えており、上下室には、それぞれの風の受入側に、ファンの回転方向に対向して突出したひれ片をそれぞれ設けてなり、この夫々のひれ片の働きで、渦の発生を無くす。【選択図】      図１
2018013108.tif 000002
【特許請求の範囲】
【請求項１】
送風機のドラムポールは、ファンと、ファン用のモータと、前記ファンの回転軸に設けたプーリと前記モータの出力軸に設けたプーリとに懸架されたベルトと、を備える構成の筐体の中心部位の上下方向に設けた箱型の角柱であって、
この角柱は、前記筐体の中心の前記回転軸を抱持する中間室を挟んで、上下側に上下室を備えており、この上下室のそれぞれの風の受入側には、ファンの回転方向に対向して突出したひれ片をそれぞれ設けることを特徴とした送風機のドラムポール。
【請求項２】
前記ひれ片は、前記送風機が設けられたダクトの流れ方向の上流に形成されており、このひれ片は、前記角柱の薄幅より上流に向かって膨出形成されるとともに、前記ファンの風の受入側が高く、その送出側が低くなっており、かつ前記ひれ片の直交する端面（横断端面）形態を対称関係に形成する構成とした請求項１に記載の送風機のドラムポール。
【請求項３】
前記角柱の前記上下室の箱型の基端を構成するコ字形は、前記ダクトの流れ方向の下流に形成する構成とした請求項１に記載の送風機のドラムポール。
【請求項４】
前記ひれ片は、前記角柱の前記上下室の薄幅の箱部の前記送出側から前記受入側に向かって延設されるとともに、前記ファンの回転方向の受入側に向かって収れんする構成とした請求項１に記載の送風機のドラムポール。
【請求項５】
前記ひれ片の延設した長さ寸法は、前記上下室とも同じとする構成とした請求項１に記載の送風機のドラムポール。
【請求項６】
前記角柱の中心は、前記上下室を区画する平坦形状の中間室を形成する構成とした請求項１に記載の送風機のドラムポール。
【請求項７】
前記角柱の中間室には、環状の孔を開設し、この孔に前記ファンのボスを設け、このボスに設けた多数の孔に、複数の羽根のスポークを取付ける構成とした請求項６に記載の送風機のドラムポール。
【請求項８】
前記ボスの多数の孔には、前記複数の羽根のスポークを、可動自在に取付ける構成とした請求項７に記載の送風機のドラムポール。
【請求項９】
前記筐体の底部で、かつ前記下室を取付けた箇所に、外気取入れ用の開口部を形成した請求項１に記載の送風機のドラムポール。
【発明の詳細な説明】
【技術分野】
【０００１】
本発明は、送風機のドラムポール（角柱、又はガード、ケーシングと称する）に関し、詳しくは、筐体の中心で、かつ上下方向（天地方向）に取付けた箱型を呈する角柱に関する。
【背景技術】
【０００２】
この種の角柱は、特開２００７−２３２１０２号公報に開示されている発明がある（文献１．）。この文献１．の構造は、筐体（風胴）は、中心よりやや下側に横設した横棧と、筐体の天井（上部）を貫いた形状の角柱を付設した構造であり、横断端面視して方形状の箱型である。従って、風の流れ方向の送出側において、その奥面近傍で渦が発生し易く、この渦の発生は、風のスムーズな流れを阻害する。また、風の流れ方向の受入側において、その正面壁面と受入側壁面で、風との衝突が発生し、騒音の発生の要因となり、かつ風のスムーズな流れを阻害する。また、角柱が筐体の上下側に差渡しされた形態でないと、上下側の風の流れが、区々になり易く、渦発生、及び／又は、騒音が発生し易くなることが考えられる。また、特開２０１５−１６９１３２号公報に開示されている発明がある（文献２．）。この文献２．の構造は、前記文献１．の構造に、モータボス部に冷却手段を設けることで、熱を持つ、例えば、プーリ、ベルト、並びにボス部等の駆動部を空冷する構造である。従って、この文献２．においても、文献１．と同じような課題を抱えていると考えられる。
【０００３】
【特許文献１】特開２００７−２３２１０２号公報
【特許文献２】特開２０１５−１６９１３２号公報
【発明の概要】
【発明が解決しようとする課題】
【０００４】
前述の如く、従来の文献１．と文献２．とにおいては（従来技術とする）、前述の如く、風の流れ方向の送出側で、かつ奥面近傍において、渦が発生し易く、風のスムーズな流れを阻害する。また、風の流れ方向の受入側で、かつ正面壁面と受入側壁面において、風との衝突が発生し、騒音の発生の要因となり、かつ風のスムーズな流れを阻害される。
【課題を解決するための手段】
【０００５】
上記に鑑み、本発明は、角柱の風の流れ方向の送出側で、この送出側の後側において、渦発生を軽減、又は無くし、風のスムーズな流れを確保する。また、風の流れ方向の受入側で、かつ正面壁面と受入側壁面において、風との衝突、即ち、騒音発生要因となることを回避し、かつ風のスムーズな流れを確保する。この目的達成を意図して、請求項１〜９を提案する。
【発明の効果】
【０００６】
請求項１の発明は、送風機のドラムポールは、ファンと、ファン用のモータと、ファンの回転軸に設けたプーリとモータの出力軸に設けたプーリとに懸架されたベルトと、を備える構成の筐体の中心部位の上下方向に設けた箱型の角柱であって、
角柱は、筐体の中心の回転軸を抱持する中間室を挟んで、上下側に上下室を備えており、この上下室のそれぞれの風の受入側には、ファンの回転方向に対向して突出したひれ片をそれぞれ設ける送風機のドラムポールである。
【０００７】
請求項１では、角柱の上下室には、ファンの回転方向に対向して突出したひれ片を設け、ファンの風が、角柱前面に倣って流れる構造であり、角柱の風の流れ方向の送出側で、この送出側の後側において、渦の発生を軽減、又は無くし、風のスムーズな流れを確保できる。また、受入れ側に、風誘導用のひれ片を形成して、騒音発生を回避し、また、ダクトを介して、風の送風の効率化が図れる等の特徴がある。
【０００８】
請求項２の発明は、ひれ片は、送風機が設けられたダクトの流れ方向の上流に形成されており、ひれ片は、角柱の薄幅より上流に向かって膨出形成されるとともに、ファンの風の受入側が高く、送出側が低くなっており、かつひれ片の直交する端面（横断端面）形態を対称関係に形成する構成とした請求項１に記載の送風機のドラムポールである。
【０００９】
請求項２では、送出側の後側において、渦の発生を軽減、又は皆無とする、優れた構造のドラムポールを提案できる。その他は、前述の請求項１に準ずる。
【００１０】
請求項３の発明は、角柱の上下室の箱型の基端を構成するコ字形は、ダクトの流れ方向の下流に形成する送風機のドラムポールである。
【００１１】
請求項４の発明は、角柱の上下室の薄幅の箱部の送出側から受入側に向かって延設されるとともに、ファンの回転方向の受入側に向かって収れんする送風機のドラムポールである。
【００１２】
請求項５の発明は、ひれ片の延設した長さ寸法は、上下室とも同じとする送風機のドラムポールである。
【００１３】
請求項３〜５では、ひれ片を形成するに最適なドラムポール（角柱）の構造を提案できる。その他は、前述の請求項１に準ずる。
【００１４】
請求項６の発明は、角柱の中心は、上下室を区画する平坦形状の中間室を形成する送風機のドラムポールである。
【００１５】
請求項６では、角柱としての強度と役割が果せるドラムポール（角柱）の構造を提案できる。その他は、前述の請求項１に準ずる。
【００１６】
請求項７の発明は、角柱の中間室には、環状の孔を開設し、孔にファンのボスを設け、ボスに設けた多数の孔に、複数の羽根のスポークを取付ける送風機のドラムポールである。
【００１７】
請求項７では、ファンを取付けるに最適なドラムポール（角柱）の構造を提案できる。その他は、前述の請求項６に準ずる。
【００１８】
請求項８の発明は、ボスの多数の孔には、複数の羽根のスポークを、可動自在に取付ける送風機のドラムポールである。
【００１９】
請求項８では、送風機に最適なファンと羽根の構造を提案できる。その他は、前述の請求項７に準ずる。
【００２０】
請求項９の発明は、筐体の底部で、かつ下室を取付けた箇所に、外気取入れ用の開口部を形成した送風機のドラムポールである。
【００２１】
請求項９では、送風機に最適な筐体の構造を提案できる。その他は、前述の請求項１に準ずる。
【図面の簡単な説明】
【００２２】
【図１】角柱の好ましい一例を示した正面図
【図２】図１の側面図
【図３】図１の背面図
【図４】図１の平面図
【図５】図１の底面図
【図６−１】図１のＡ−Ａ端面図
【図６−２】図１のＢ−Ｂ端面図
【図６−３】図１のＣ−Ｃ端面図
【図６−４】図１のＤ−Ｄ端面図
【図７】角柱を送風機に配備した状態の拡大側面図
【図８】角柱を送風機に配備した状態の背面図
【図９】送風機の底面視した図
【図１０−１】ファンの一部欠截の分解斜視図
【図１０−２】ファンのボスと羽根のスポークとの関係を示した斜視図
【図１０−３】ファンのボスと羽根のスポークとの関係を示した分解斜視図
【図１０−４】羽根のスポークを拡大して示した俯瞰図
【図１１】従来の角柱において、渦発生と、及び／又は、衝突が生ずる状態を模式的に示した図
【発明を実施するための形態】
【００２３】
以下、本発明の一実施例を、図面を参照しながら説明する
図中１は、ダクト（ア１）、（ア２）間に設けられる送風機であり、この送風機１は、図７、図８に詳細に示されており、筒状の筐体１００と、この筐体１００内に支持されたファン１０１と、筐体１００の外周面天井部（上部１００ａ）に設けたファン用のモータ１０２と、ファン１０１の回転軸（図示せず）に設けた、後述する角柱内のプーリ（図示せず）と、前記モータ１０２の出力軸（図示せず）に設けたプーリ（図示せず）と、このプーリ（図示せず）を収める筐体１００の上部１００ａに設けた外気導入のスリット１０３ａを有する箱体１０３と、前記両プーリ間に懸架されるベルト（図示せず）と、を備えている。筐体１００の外周面底部（下部１００ｂ）で、かつ角柱を設ける箇所には、外気を導入するスリット、孔、又はパンチング孔等の開口部１０４を有する。この開口部１０４は、後述する角柱に繋がる。即ち、開口部１０４より角柱内に、外気を導入して、前記プーリ、ベルト、回転軸等を冷却する。
【００２４】
従って、モータ１０２が駆動し、プーリが回ることで、ベルトが動く構造となっている。このベルトの動きで、回転軸が回転し、ファン１０１が正面視して反時計方向Ｘに回転し、風がダクト（ア１）から（ア２）に向かって流れる。即ち、図７において、（イ１）から（イ２）の矢視方向に流れる。この場合において、図１１に示した従来例では、方形状の角柱では、角柱の風の流れ方向の送出側で、この送出側（ウ１）壁面（ウ２）の奥面方向近傍（ウ３）に、図示した、渦発生（エ）が生じ易い（渦発生領域が生じ易い）、及び／又は、受入側正面（ウ４）／受入側壁面（ウ５）への衝突等により、前述した問題が発生する。
【００２５】
本発明の手段は、前記渦発生（エ）を軽減、もしくは無くし、及び／又は、前記正面（ウ４）／壁面（ウ５）等への衝突等を軽減、もしくは無くし、風のスムーズな流れ（空気の流れ）を確保する。また、これにより、騒音防止を図りつつ、ダクト内等の風の送風の効率化が図れる。
【００２６】
以下で、その手段の一例を説明する。
【００２７】
２は角柱（ドラムポール）で、この角柱２は、図１〜図３に詳細に示されており、筐体１００の端部１００ｃ（空気の流れ方向の端部であり、一例である）の上下部１００ａ、１００ｂ方向に設けた横断端面視して長方形状をした箱型であり、かつ筐体１００の内輪と同形の上下面２ａ、２ｂを有し、かつ角柱２の基端は、横断端面視してコ字型である。また、中間室２０２は、横断端面視して略ロ字型を呈する。そして、角柱２には、当該角柱２の中心に、前記回転軸が配備されるとともに、この回転軸、及び薄幅で平坦形状の中間室２０２を挟んで、厚幅で一部（薄幅２−１と厚幅２−２との境）有底２００ａ、２０１ａの上下室２００、２０１が区画形成されている。上下室２００、２０１は（後述する対のひれ片も同じ）、対称関係となっている。この有底２００ａ、２０１ａ（有底２０１ａは、下室２０１の天井面と云える）とは、対峙関係である。
【００２８】
また、この上下室２００、２０１には、ファンの回転方向Ｘに対向して突出し、かつダクトの流れ方向の上流側に膨出形成したカーブ曲線となる（図６−１と図６−４参照）ひれ片５、６を有する。ひれ片５、６は、図４〜図６−４に詳細な形状が示されており、ひれ片５、６（同じ構造の例では、一方側で説明する）の構造を説明すると、ひれ片５は、ダクト（ア１）、（ア２）の流れ方向（イ１）→（イ２）の上流に形成されており、ひれ片５は、角柱２の薄幅２−１より上流に向かって、角柱２の上下室２００、２０１の箱部より膨出形成されるとともに、後述するファンの回転方向の受入側２ｃが高く、送出側２ｄが低くなっており、かつひれ片５の直交する（横断方向の同じ位置における）端面形態を対称関係に形成する。また、ひれ片５の端面５ａ、６ａ（嘴型）は、角柱２の上下室２００、２０１の壁面２００ｂ、２０１ｂより、受入側に突出する。突出箇所が端面視して嘴型を呈している。従って、受入れる風の流れが、図６−１と図６−４に示すように、壁面２００ｂ、２０１ｂが邪魔することなく、端面５ａ、６ａに誘導されるように流れて、矢視Ｅ、Ｅ１で示すようになだらかな流れとなり、渦発生（エ）は、極めて少なくなる（渦発生領域はないと云える）。上下室２００、２０１と中間室２０２の空間には、ベルト（図示せず）が配備される。また、中間室２０２内には、プーリと回転軸が、その外側には後述するボスがそれぞれ設けられる。尚、ひれ片５、６の延設した長さ寸法Ｌは、上下室２００、２０１とも同じとすることで、本発明の特徴を発揮できる。
【００２９】
ファン１０１は、図１０−１〜図１０−４に詳細な形状が示されており、回転軸に固定される取付孔１０１−１ａを有する対のボス１０１−１と、この各ボス１０１−１に設けたスポーク用の複数個の凹部１０１−２と、この各凹部１０１−２に差込まれる複数本のスポーク１０１−３を備えた複数本の羽根１０１−４とで構成されている。従って、本発明では、羽根１０１−４の角度を自由に変更できるので、風の流れスピード調整とか、騒音調整ができる。凹部１０１−２と凹部１０１−２との合致で、スポーク用の孔１０１−２ａとなる（図１０−１参照）。また、ファン１０１は、図示しないが、従来の一体構造等の各構造を採用できる。
【００３０】
前述した各実施例は、本発明の好ましい一例の説明である。従って、本発明は前述した各実施例に限定されるものではなく、発明の趣旨の範囲において構成の一部を変更する構造とか、同じ特徴と効果を達成できる構造、等は、本発明の範疇である。
【符号の説明】
【００３１】
１  送風機
１００  筐体
１００ａ  上部
１００ｂ  下部
１００ｃ  端部
１０２  モータ
１０３  箱体
１０３ａ  スリット
１０４  開口部
２  角柱
２ａ  上面
２ｂ  下面
２ｃ  受入側
２ｄ  送出側
２００  上室
２００ａ  有底
２００ｂ  壁面
２０１  下室
２０１ａ  有底
２０１ｂ  壁面
２０２  中間室
２−１  薄幅
２−２  厚幅
５  ひれ片
５ａ  端面
６  ひれ片
６ａ  端面
１０１  ファン
１０１−１  ボス
１０１−１ａ  孔
１０１−２  凹部
１０１−２ａ  孔
１０１−３  スポーク
１０１−４  羽根
（ア１）  ダクト
（ア２）  ダクト
（イ１）  矢視
（イ２）  矢視
（ウ１）  送出側
（ウ２）  壁面
（ウ３）  奥面方向近傍
（ウ４）受入側正面
（ウ５）受入側壁面
（エ）  渦発生領域
Ｅ  矢視
Ｅ１  矢視
Ｌ  長さ寸法
Ｘ  回転方向
【図１】
2018013108.tif 000003
【図２】
2018013108.tif 000004
【図３】
2018013108.tif 000005
【図４】
2018013108.tif 000006
【図５】
2018013108.tif 000007
【図６−１】
2018013108.tif 000008
【図６−２】
2018013108.tif 000009
【図６−３】
2018013108.tif 000010
【図６−４】
2018013108.tif 000011
【図７】
2018013108.tif 000012
【図８】
2018013108.tif 000013
【図９】
2018013108.tif 000014
【図１０−１】
2018013108.tif 000015
【図１０−２】
2018013108.tif 000016
【図１０−３】
2018013108.tif 000017
【図１０−４】
2018013108.tif 000018
【図１１】
2018013108.tif 000019